(57)【要約】【課題】記録媒体に記憶されているデータの読み取り、あるいは記録媒体へのデータの書き込みがより確実に行われるインクジェット記録装置及び記録方法を提供する。【解決手段】記録装置は、データ記憶手段に対して、データの書き込みあるいはデータの読み込みの少なくともいずれかを行うことが可能であると共に、記録媒体に記録を行うことが可能である。また、記録装置は、記録媒体への記録を行っているか否かを判断する記録判定手段を有している。そして、記録判定手段によって記録を行っていると判断されたときには、データ記憶手段へのデータの書き込みあるいはデータ記憶手段に記憶されているデータの読み込みを禁止する。【選択図】図５
2011181148.tif 000002
【特許請求の範囲】
【請求項１】
内部にデータを書き込むことが可能であると共に内部のデータを読み取ることが可能であり、データを記憶可能なデータ記憶手段に対して、データの書き込みあるいはデータの読み込みの少なくともいずれかを行うことが可能であって、
記録媒体に記録を行うことが可能な記録手段を有する記録装置において、
前記記録媒体への記録を行っているか否かを判断する記録判定手段と、
前記記録判定手段によって記録を行っていると判断されたときには、前記データ記憶手段へのデータの書き込みあるいは前記データ記憶手段に記憶されているデータの読み込みを禁止する第一のデータアクセス禁止手段と
を有することを特徴とする記録装置。
【請求項２】
記録を行っていないときには記録手段を覆い、記録を行っているときには記録手段から離間するキャップを有し、
前記記録判定手段は、前記キャップの開閉状態を検知し、前記キャップが記録手段を覆った状態であるときには記録を行っていないと判断し、前記キャップが記録手段から離間しているときには記録を行っていると判断することを特徴とする請求項１に記載の記録装置。
【請求項３】
内部にデータを書き込むことが可能であると共に内部のデータを読み取ることが可能であり、データを記憶可能なデータ記憶手段に対して、データの書き込みあるいはデータの読み込みの少なくともいずれかを行うことが可能であって、
吐出口を有し、前記吐出口からインクを吐出して記録媒体に記録を行う記録ヘッドと、
記録媒体を搬送する搬送手段と、
記録媒体の搬送が行われる搬送方向に交差する主走査方向に前記記録ヘッドを往復移動させて走査させる走査手段と、
前記記録ヘッドによって記録を行うことが可能な位置に記録媒体を供給する記録媒体供給手段とを有する記録装置において、
前記記録媒体供給手段によって記録媒体の供給を行っている状態であるか否かを検出する記録媒体供給検出手段と、
前記走査手段によって走査を行う前記記録ヘッドが主走査方向に加速している状態か否かを検出する加速検出手段と、
前記走査手段によって走査を行う前記記録ヘッドが主走査方向に減速している状態か否かを検出する減速検出手段と、
前記記録媒体供給検出手段によって記録媒体の供給を行っている状態であると検出されたとき、前記加速検出手段によって前記記録ヘッドが主走査方向に加速を行っている状態であると検出されたとき、前記減速検出手段によって前記記録ヘッドが主走査方向に減速を行っている状態であると検出されたとき、のうち、いずれかの状態であると判断されたときには、データ記憶手段へのデータの書き込みあるいはデータ記憶手段に記憶されているデータの読み込みを禁止する第二のデータアクセス禁止手段と
を有することを特徴とする記録装置。
【請求項４】
内部にデータを書き込むことが可能であると共に内部のデータを読み取ることが可能であり、データを記憶可能なデータ記憶手段に対して、データの書き込みあるいはデータの読み込みの少なくともいずれかを行うことが可能であって、
記録媒体に記録を行うことが可能な記録手段を有する記録装置において、
記録媒体に記録された画像を読み取ることが可能なスキャナー部と、
前記スキャナー部で記録媒体に記録されている画像を読み取るときに、記録媒体をスキャナー部との間で挟み込むために記録媒体をスキャナー部に押圧可能な圧板と、
前記圧板がスキャナー部に近接した閉状態にあるか、スキャナー部から離間した開状態にあるかを検出する圧板開閉状態検出手段と、
前記圧板開閉状態検出手段によって前記圧板が開状態にあると判断されたときには、前記データ記憶手段へのデータの書き込みあるいは前記データ記憶手段に記憶されているデータの読み込みを禁止する第三のデータアクセス禁止手段と
を有することを特徴とする記録装置。
【請求項５】
内部にデータを書き込むことが可能であると共に内部のデータを読み取ることが可能であり、データを記憶可能なデータ記憶手段に対して、データの書き込みあるいはデータの読み込みの少なくともいずれかを行うことが可能であって、
吐出口を有し、前記吐出口からインクを吐出して記録媒体に記録を行う記録ヘッドと、
前記記録ヘッドに供給するインクを貯留し、前記記録ヘッドに対して取外し可能なインクタンクを有する記録装置において、
前記インクタンクが取外されている状態のときには露出され、前記インクタンクが前記記録ヘッドにインクを供給可能に接続されている状態のときには露出されない開口部と、
前記開口部が露出された状態にある否かによって、前記記録ヘッドと前記インクタンクとの間が接続されているか否かを検出する接続状態検出手段と、
前記接続状態検出手段によって前記記録ヘッドと前記インクタンクとの間が接続されていない状態にあると判断されたときには、前記データ記憶手段へのデータの書き込みあるいは前記データ記憶手段に記憶されているデータの読み込みを禁止する第四のデータアクセス禁止手段と
を有することを特徴とする記録装置。
【請求項６】
内部にデータを書き込むことが可能であると共に内部のデータを読み取ることが可能であり、データを記憶可能なデータ記憶手段に対して、データの書き込みあるいはデータの読み込みの少なくともいずれかを行うことが可能であって、
記録媒体に記録を行うことが可能な記録手段を有する記録装置を用いて記録を行う記録方法において、
前記記録媒体への記録を行っているか否かを判断する記録判定工程と、
前記記録判定工程で記録を行っていると判断されたときには、前記データ記憶手段へのデータの書き込みあるいは前記データ記憶手段に記憶されているデータの読み込みを禁止する第一のデータアクセス禁止工程と
を有することを特徴とする記録方法。
【発明の詳細な説明】
【技術分野】
【０００１】
本発明は、記録媒体上に記録を行うことが可能であると共に、記録媒体に記憶されたデータの読み取りあるいは記録媒体へデータの書き込みが可能なインクジェット記録装置及び記録方法に関する。
【背景技術】
【０００２】
近年は、光学的な記録メディアであるＣＤやＤＶＤが、データを記憶するためのデータ記憶手段として一般に普及している。さらに、これらのＣＤやＤＶＤといったデータ記憶手段に記憶されたデータの読み取りあるいはデータ記憶手段のデータの書き込みが可能であると共に、記録媒体に記録を行うことが可能な記録装置が提案されている。このような記録装置としては、データの読み取りあるいは書き込みを行う面（以下、「データアクセス面」とも言う）の反対側の面（以下「レーベル面」とも言う）に、記録されることが可能な媒体として構成されるものが知られている。記録媒体のレーベル面へのインクジェット方式による記録と、データアクセス面へのデータアクセス手段（以下「ピックアップ」とも言う）を用いたデータアクセスとが、同一装置に配置されている構成について、特許文献１、２に開示されている。
【０００３】
また、近年デジタルカメラで撮影した画像を、パソコンを経由せずにＣＤやＨＤＤに記録してインクジェット記録を行うニーズが高まっている。このようなデータ記憶手段に対してデータの読み書きを行うデータアクセス部と、インクジェット記録部とを同一装置内に有する構成が増加する傾向にある。
【先行技術文献】
【特許文献】
【０００４】
【特許文献１】特開平０６−０３１９０６号公報
【特許文献２】特開２００２−１３３８５１号公報
【発明の概要】
【発明が解決しようとする課題】
【０００５】
しかしながら、一般に、データ記憶手段に記憶されているデータを読み取るデータ読み取り部あるいはデータ記憶手段にデータを書き込むデータ書き込み部は、データ記憶手段に近接して配置される。特に、データ記憶手段に記憶されているデータの読み取りあるいはデータ記憶手段へのデータの書き込みが行われているときには、データ記憶手段にかなり近い位置にデータ読み取りあるいはデータ書き込みのための装置が配置されることになる。
【０００６】
このため、もしデータ記憶手段に記憶されているデータの読み取りが行われている間に振動が発生すると、データ記憶手段と、データ読み取りあるいはデータ書き込みのための装置とが接触する可能性がある。これにより、データ記憶手段内のデータの読み取りの際に、データ記憶手段から正しいデータを読み取れずに、データ読み取り上のエラーが発生してしまう可能性がある。また、振動が発生することで、データ記憶手段へのデータ書き込みの際に、データをデータ記憶手段に正しく保存することができなくなる場合が生じてしまう可能性がある。また、これによって誤ったデータをデータ記憶手段に書き込んだケースが生じたときに、修正したデータを新たにデータ記憶手段に記憶させたとしても、誤ったデータの分データ記憶手段の記憶容量を余分に消費してしまう。そのため、誤ったデータの分だけデータ記憶手段に記憶させることのできるデータ量が少なくなってしまう。
【０００７】
ところが、例えば、インクジェット記録装置等の記録装置によってデータ記憶手段のレーベル面へ記録が行われる場合には、レーベル面へのインクの吐出によって記録装置に振動が生じてしまうことがある。また、その他の要因によっても、記録装置に振動が生じてしまう可能性がある。従って、データ記憶手段に記憶されているデータの読み取りあるいはデータ記憶手段へのデータの書き込みが行われている間に記録装置に振動が生じてしまうと、その振動によってデータの読み取りあるいは書き込みでエラーが生じてしまう可能性がある。
【０００８】
そこで、本発明は上記の事情に鑑みてなされたものであり、記録媒体に記憶されているデータの読み取り、あるいは記録媒体へのデータの書き込みがより確実に行われるインクジェット記録装置及び記録方法を提供することを目的とする。
【課題を解決するための手段】
【０００９】
本発明の記録装置は、内部にデータを書き込むことが可能であると共に内部のデータを読み取ることが可能であり、データを記憶可能なデータ記憶手段に対して、データの書き込みあるいはデータの読み込みの少なくともいずれかを行うことが可能であって、記録媒体に記録を行うことが可能な記録手段を有する記録装置において、前記記録媒体への記録を行っているか否かを判断する記録判定手段と、前記動作判定手段によって記録を行っていると判断されたときには、前記データ記憶手段へのデータの書き込みあるいは前記データ記憶手段に記憶されているデータの読み込みを禁止する第一のデータアクセス禁止手段とを有することを特徴とする。
【００１０】
また、本発明の記録方法は、内部にデータを書き込むことが可能であると共に内部のデータを読み取ることが可能であり、データを記憶可能なデータ記憶手段に対して、データの書き込みあるいはデータの読み込みの少なくともいずれかを行うことが可能であって、記録媒体に記録を行うことが可能な記録手段を有する記録装置を用いて記録を行う記録方法において、前記記録媒体への記録を行っているか否かを判断する記録判定工程と、前記動作判定工程で記録を行っていると判断されたときには、前記データ記憶手段へのデータの書き込みあるいは前記データ記憶手段に記憶されているデータの読み込みを禁止する第一のデータアクセス禁止工程とを有することを特徴とする。
【発明の効果】
【００１１】
本発明によれば、記録媒体に記憶されているデータの読み取りあるいは記録媒体へのデータの書き込みがより確実に行われるので、データの読み取り上あるいは書き込み上のエラーの少ない信頼性の高いインクジェット記録装置及び記録方法を提供することができる。
【図面の簡単な説明】
【００１２】
【図１】本発明の第一実施形態に係る記録装置について模式的に示した斜視図である。
【図２】図１の記録装置におけるインクジェット記録部についての斜視図である。
【図３】図２のインクジェット記録部における記録ヘッド及びインクタンクについて拡大して示した斜視図である。
【図４】図１の記録装置におけるデータの流れを示すブロック図である。
【図５】図１の記録装置によってＣＤ−Ｒへデータの書き込みが行われる際のフローについて示したフローチャートである。
【図６】図１の記録装置によってＣＤ−Ｒへデータの書き込みが行われる際に、記録媒体への記録が行われることで、データ書き込み処理を停止するフローについて示したフローチャートである。
【図７】図１の記録装置による画像の記録に対応して、データアクセス部によるデータの書き込みが停止される期間について説明するためのタイミングチャートである。
【図８】本発明の第二実施形態に係る記録装置において、比較的大きな振動の生じ得る工程が行われることによって、データ書き込み処理を停止するフローについて示したフローチャートである。
【図９】図８のフローで用いられる記録装置において、比較的大きな振動の生じ得る工程が行われることによってデータアクセス部によるデータの書き込みが停止される期間について説明するためのタイミングチャートである。
【図１０】本発明の第三実施形態に係る記録装置について模式的に示した斜視図である。
【図１１】図１０の記録装置によって、ＣＤ−Ｒへデータの書き込みが行われる際のフローについて示したフローチャートである。
【図１２】図１１の記録装置において、圧板の開状態に対応して、データアクセス部によるデータの書き込みが停止される期間について説明するためのタイミングチャートである。
【発明を実施するための形態】
【００１３】
以下、本発明の具体的な実施形態について図面を参照しながら詳細に説明する。
【００１４】
（第一実施形態）
本発明の第一実施形態に係るインクジェット記録装置の構成の構成について、図１から図４を参照して説明する。図１は、本発明の第一実施形態に係るインクジェット記録装置１００を模式的に示した斜視図である。記録装置１００は、主に、インクジェット記録部１０００と、データアクセス部１１００とから構成されている。これらは、いずれも記録装置１００の筐体１１０の中に一体の装置として収められている。
【００１５】
図１のデータアクセス部１１００は、その中にデジタル画像データを記憶させるデータ記憶手段としてのＣＤ−Ｒ１１０１を設置可能に構成されている。以下、データ記憶手段は、内部にデータを書き込むこと、または内部のデータを読み取ることの少なくともいずれか一方を行うことが可能で、データを内部に記憶可能なデータの記憶領域を有する記憶媒体のことをいうものとする。例えば、データ記憶手段としては、コンパクトディスク（以下「ＣＤ」ともいう）、ＣＤ−Ｒ、ＤＶＤディスク（ＤＶＤ−Ｒ、ＤＶＤ−ＲＷディスクなどを含む）や、メモリーカード、ＨＤＤ等が挙げられる。
【００１６】
データアクセス部１１００にはＣＤ−Ｒを載せるためのトレイが配置されており、データアクセス部１１００の開閉ボタン１１０２を押すことで、トレイが筐体１１０から突出することが可能であるように形成されている。これによって、トレイ上にＣＤ−Ｒ１１０１を設置することが可能になると共に、トレイ上からＣＤ−Ｒ１１０１を取り除くことが可能な状態となる。データアクセス部１１００へＣＤ−Ｒ１１０１を挿入する際には、ユーザーがトレイ上にデータ記憶手段としてのＣＤ−Ｒ１１０１を載せて、再度開閉ボタン１１０２を押す。こうすると、ＣＤ−Ｒ１１０１はデータアクセス部１１００内に収納され、デジタル画像データをＣＤ−Ｒ１１０１へ記録し記憶させることが可能になると共に、ＣＤ−Ｒ１１０１に書き込まれているデータを読み取ることが可能になる。記録装置としては、データ記憶手段としてのＣＤ−Ｒ１１０１に対して、データの書き込みあるいはデータの読み込みの少なくともいずれかを行うことが可能であるものとする。本実施形態では、特に、記録装置１００はデータの書き込み及びデータの読み込みの両方が可能である。記録装置１００は、ＣＤ−Ｒ１１０１に対して、データアクセス部１１００によりデータの書き込みあるいはデータの読み込みを行うことができる。
【００１７】
また、データアクセス部１１００とは別に、不図示のメモリーカードを挿入可能なメモリーカード読み取り手段１２００が形成されている。メモリーカードがメモリーカード読み取り手段１２００に挿入されると、そこでメモリーカードに記憶されているデータが記録装置１００によって読み取られることが可能に構成されている。本実施形態では、メモリーカードに記憶されているデータを読み取り、その読み取ったデータをＣＤ−Ｒ１１０１に書き込むことができる。また、ＣＤ−Ｒ１１０１から読み取ったデータをメモリーカードに書き込むこともできるように構成されている。このように、ＣＤ−Ｒ１１０１とメモリーカードとの間で相互にデータの読み取りあるいは書き込みを行うことができる。また、ＣＤ−Ｒ１１０１で読み取ったデータをインクジェット記録部１０００によって記録媒体に記録することができ、またメモリーカードで読み取ったデータをインクジェット記録部１０００によって記録媒体に記録することができもできる。
【００１８】
図２は、図１に示される記録装置１００におけるインクジェット記録部１０００の全体についての斜視図を示し、図３は、そのインクジェット記録部１０００における要部についての斜視図を示す。
【００１９】
図２において、記録装置の外装部材内に収納されたシャーシＭ３０１９は、所定の剛性を有する複数の板状金属部材によって構成されて、記録装置の骨格を成すものであり、次のような各記録動作機構を保持する。自動給送部Ｍ３０２２は、記録媒体としての用紙を装置本体内へと自動的に給送する。搬送部Ｍ３０２９は、自動給送部Ｍ３０２２から１枚ずつ送出される用紙を所定の記録位置へと導くと共に、その記録位置から排出部Ｍ３０３０へと用紙を導く。このように、記録装置１００は、記録媒体を記録ヘッドによって記録を行うことが可能な位置に供給する記録媒体供給手段としての自動給送部Ｍ３０２２を有している。矢印Ｙは、記録媒体の搬送方向（副走査方向）である。記録位置に搬送された記録媒体には、インクジェット記録部１０００によって所望の画像の記録が行われる。このインクジェット記録部１０００における記録ヘッドＨ１００１には、回復部Ｍ５０００によって回復処理が行われる。Ｍ２０１５は紙間調整レバー、Ｍ３００６は、ＬＦローラＭ３００１の軸受けである。また、ここには図示していないが、自動給送部Ｍ３０２２からの給紙のほかに、インクジェット記録部１０００の前面もしくは後面よりインクジェット方式により記録可能な画像記録面を持った光学ディスクを挿入するディスク挿入口が形成されている。このディスク挿入口に光学ディスクを挿入し、光学ディスクが記録位置に搬送されることで、記録部によって光ディスク上に所望の画像の記録を行うことも可能である。
【００２０】
インクジェット記録部１０００において、キャリッジＭ４００１は、キャリッジ軸Ｍ４０２１によって矢印Ｘの主走査方向に移動可能に支持されている。このキャリッジＭ４００１には、インクを吐出可能なインクジェット記録ヘッドＨ１００１（図３参照）が着脱可能に搭載される。本例の記録ヘッドＨ１００１は、図３のように、インクを貯留するインクタンクＨ１９００と共に、記録ヘッドカートリッジＨ１０００を構成する。インクタンクＨ１９００としては、写真調の高画質なカラー記録を可能とするために、例えば、ブラック、ライトシアン、ライトマゼンタ、シアン、マゼンタおよびイエローの各色独立のインクタンクが用意されている。これらのインクタンクＨ１９００のそれぞれは、記録ヘッドＨ１００１に対して着脱自在となっている。
【００２１】
記録ヘッドＨ１００１は、メイン基板Ｅ０００１から本体フレキＥ００１２を経由して記録に必要なヘッド駆動信号を得る。本実施形態では、インクを吐出するためのエネルギーとしては、電気熱変換体から発生する熱エネルギーが利用される。この場合には、電気熱変換体の発熱によってインクに膜沸騰を生じさせ、そのときの発泡エネルギーによって、インク吐出口からインクを吐出することができる。
【００２２】
回復部Ｍ５０００には、記録ヘッドＨ１００１におけるインク吐出口の形成面をキャップするキャップ（図示せず）が備えられている。このキャップには、その内部に負圧を導入可能な吸引ポンプを接続してもよい。その場合には、記録ヘッドＨ１００１のインク吐出口を覆ったキャップ内に負圧を導入する。これにより、インク吐出口からインクを吸引排出させることにより、記録ヘッドＨ１００１の良好なインク吐出状態を維持すべく回復処理（「吸引回復処理」ともいう）をすることができる。また、キャップ内に向かって、インク吐出口から画像の記録に寄与しないインクを吐出させることによって、記録ヘッドＨ１００１の良好なインク吐出状態を維持すべく回復処理（「吐出回復処理」ともいう）をすることができる。
【００２３】
また、キャリッジＭ４００１には、図２に示されるように、キャリッジＭ４００１上の所定の装着位置に記録ヘッドＨ１００１を案内するためのキャリッジカバーＭ４００２が設けられている。さらに、キャリッジＭ４００１には、記録ヘッドＨ１００１のタンクホルダーと係合して、記録ヘッドＨ１００１を所定の装着位置にセットさせるヘッドセットレバーＭ４００７が設けられている。ヘッドセットレバーＭ４００７は、キャリッジＭ４００１の上部に位置するヘッドセットレバー軸に対して回動可能に設けられており、記録ヘッドＨ１００１と係合する係合部には、ばね付勢されるヘッドセットプレート（不図示）が備えられている。そのばね力によって、ヘッドセットレバーＭ４００７は、記録ヘッドＨ１００１を押圧しながらキャリッジＭ４００１に装着する。
【００２４】
図４は、このような記録装置における制御系の概略のブロック構成図である。
【００２５】
図４において、ＣＰＵ５００は、本例のプリント装置の動作の制御処理やデータ処理等を実行する。ＲＯＭ１０１は、それらの処理手順等のプログラムが格納され、またＲＡＭ１０２は、それらの処理を実行するためのワークエリアなどとして用いられる。記録ヘッドＨ１００１からのインクの吐出は、ＣＰＵ５００が電気熱変換体などの駆動データ（記録データ）および駆動制御信号（ヒートパルス信号）をヘッドドライバＨ１００１Ａに供給することにより行われる。ＣＰＵ５００は、キャリッジＭ４００１を主走査方向に駆動するためのキャリッジモータ１０３をモータドライバ１０３Ａを介して制御する。また、ＣＰＵ５００は、記録媒体を副走査方向に搬送するためのＰ．Ｆモータ１０４を、モータドライバ１０４Ａを介して制御する。
【００２６】
以上のような構成の記録装置によって記録を行う場合には、まず、ホスト装置２００（図４参照）から外部Ｉ／Ｆを通して送出されてきた記録データをプリントバッファに一旦格納する。そして、キャリッジモータ１０３によってキャリッジＭ４００１と共に記録ヘッドＨ１００１を主走査方向に移動させつつ、記録データに基づいて記録ヘッドＨ１００１からインクを吐出させることで記録動作が行われる。このように、ここでは、記録ヘッドＨ１００１が記録媒体に記録を行うことが可能な記録手段として機能する。さらに、記録装置１００は、記録媒体の搬送が行われる搬送方向に交差する主走査方向に記録ヘッドＨ１００１を往復移動させて走査させる走査手段を有している。また、このような記録動作と、Ｐ．Ｆモータ１０４により記録媒体を副走査方向に所定量搬送する搬送動作と、を繰り返すことによって、記録媒体上に順次画像を記録する。
【００２７】
このとき、データアクセス部１１００から画像データを読み込んでＣＰＵ５００に送り、ＣＰＵ５００によって記録装置用の記録データへと変換して記録を行っても良い。また、本実施形態のメモリーカード読み書き部とＣＤ−Ｒドライブのように、記録装置が複数のデータアクセス部を有する場合には、一旦、メモリーカード読み書き部の画像データをＨＤＤやＣＤ−Ｒに複写して保存する。そして、後ほど、そのデータを用いて記録媒体への記録を行うようにしてもよい。
【００２８】
次に、本実施形態における記録媒体への記録動作と共に行われるデータアクセス部によるＣＤ−Ｒへのデータの書き込みについて説明する。図５に、本発明が適用された場合の、デジタルデータアクセス部でデータ記憶手段に書き込み処理が行われる際の制御フローについてのフローチャートを示す。図５のフローチャートを使用し、本発明を適用した場合のデジタルデータアクセス部によるデジタルデータ書き込みについて、メモリーカードからＣＤ−Ｒへ画像をコピーする場合を例にとって説明する。
【００２９】
ここでは、デジタルデータの、データ記憶手段としてのＣＤ−Ｒへの書き込み（Ａ０１）を開始する。このとき、メモリーカードを記録装置１００のメモリーカード読み取り手段１２００にセットし（Ａ０２）、メモリーカードから記憶されているデータを読み取ると共にＣＤ−Ｒへ読み取ったデータの書き込みを行う。このとき、書き込みモードをユーザーに選択させる（Ａ０３）。次にＣＤ−Ｒを画像記録装置のデジタルデータ書き込み装置にセット（Ａ０４）し、データ書き込みを開始してよいかユーザーに確認する（Ａ０５）。ユーザーがデータの書き込みを許可し、データ書き込み開始が指示されると、デジタルデータアクセス部によるデータ書き込みを一時停止する停止信号が発せられているかどうかを確認（Ａ０６）する。このときの、データ書き込みを一時停止する停止信号が発せられているかどうかの判断については、後で説明する。そして、このときに一時停止を行う停止信号が発せられていない場合には、メモリーカードからＣＤ−Ｒへデジタルデータの書き込みを行う（Ａ０７）。以後、ある一定期間の間隔ごとに書き込みが全て終了したかどうかを確認（Ａ０８）し、全てのデータ書き込みの終了後、デジタルデータ書き込みを終了する（Ａ０９）。ここである一定期間の間隔は、一定の時間を直接計測することで検出されることとしても良いし、記録装置が一定のデータの書き込みを行ったときに一定期間が過ぎたことが検出されることとしても良い。
【００３０】
図６は本発明を適用した場合の、記録装置１００による画像記録処理を示すフローチャートである。図６のフローチャートを使用し、本発明を適用した場合に、記録装置１００による記録処理においてデータ書き込みを一時停止する停止信号を送信する際のフローについて説明する。
【００３１】
ここで、記録装置１００による記録媒体への画像の記録（Ｂ０１）を開始する。記録装置１００がホスト装置２００からの記録命令を受信（Ｂ０２）すると、データアクセス部１１００によるＣＤ−Ｒへのデジタルデータ書き込みを一時停止する停止信号を‘‘ＯＮ’’の状態にする（Ｂ０３）。次に、記録装置１００で画像の記録を行うための準備動作が行われる（Ｂ０４）。ここでの準備動作としては、例えば、キャップオープン・メカイニシャル動作・ヘッド回復処理などが挙げられる。記録のための準備動作が終了した後、記録媒体の給紙・画像の印字・記録媒体の排紙と一連の動作を行って画像の記録が行われる（Ｂ０５）。画像の記録が終了した後、データアクセス部１１００によるデジタルデータのＣＤ−Ｒへの書き込みを一時停止する停止信号を‘‘ＯＦＦ’’の状態にし（Ｂ０６）、画像の記録を終了する。
【００３２】
図７に、本実施形態のデータアクセス部１１００による書き込み動作と、画像記録装置による画像記録動作とのタイミングとの時間の関係を表すタイミングチャートを示す。図７では、データアクセス部１１００によりＣＤ−Ｒに書き込みを行っている期間をタイミングチャートでの上に凸の部分で示している。また、それ以外の下に凸となっている部分が、書き込み停止の期間を示している。データアクセス部１１００によってＣＤ−Ｒにデジタルデータの書き込み行っている期間であることが検知される（記録判定工程）と、デジタルデータ書き込み一時停止する停止信号が‘‘ＯＮ’’の状態にされる。そこで、データ書き込みを一時停止するデータ書き込み処理の停止信号が発せられる。従って、この間は、データ書き込みを一時停止する停止信号が発せられているので、記録装置１００のデータアクセス部１１００によるデジタルデータ書き込み動作を停止（Ｃ０１）する（第一のデータアクセス禁止工程）。
【００３３】
つまり、記録媒体への記録を行っているか否かが判断され、判断された結果、記録を行っていると判断されたときには、データ記憶手段へのデータの書き込みあるいは前記データ記憶手段に記憶されているデータの読み込みを禁止する。このとき、ＣＰＵ５００、ＲＯＭ１０１、ＲＡＭ１０２等が、記録手段により記録媒体への記録が行われているか否かを判断する記録判定手段として機能する。また、ＣＰＵ５００、ＲＯＭ１０１、ＲＡＭ１０２等が、記録を行っていると判断されたときに、データ記憶手段へのデータの書き込みを禁止するデータアクセス禁止手段（第一のデータアクセス禁止手段）として機能する。このとき、記録媒体への記録が行われているか否かの判断としては、ホスト装置２００からの記録命令の受信と記録装置１００での画像の記録終了から判断されている。記録終了は、記録データの記録が全て終わったときに記録終了が判断される。
【００３４】
そして、記録装置１００による画像の記録媒体への記録が終了した後には、デジタルデータ書き込み一時停止する停止信号が‘‘ＯＦＦ’’の状態にされ、データ書き込みを一時停止する停止信号が発せられていない状態になる。従って、この状態のときにはデータ書き込みを一時停止する停止信号が発せられていないので、デジタルデータアクセス部によるデジタルデータのＣＤ−Ｒへの書き込み動作を再開する（Ｃ０２）。
【００３５】
このように、振動が発生する可能性のある記録装置１００による記録媒体への画像の記録時には、デジタルデータアクセス部によるデータ書き込みを行わない構成としている。これにより、振動による誤ったデータの書き込みやデジタルデータの記録間違いといった記録上の誤作動が発生することを抑えることができる。また、デジタルデータ記録媒体とデジタルデータアクセス部との衝突を防止することができ、信頼性の高い記録装置を提供することができる。また、特別にセンサ類を取り付ける必要がないので、記録装置の製造状のコストを低く抑えることができる。また、記録装置とデータアクセス部とが一体に構成されているので、データの読み取り、書き込みと、記録媒体への記録手段による記録とを一体の装置で行うことができるので、利便性に優れた記録装置を提供することができる。
【００３６】
なお、本実施形態では、データアクセス部によりデータ記憶手段としてのＣＤ−Ｒにデータの書き込みをする際に、記録が行われているときには、データ書き込みを禁止する例について説明したが、本発明はこれに限定されない。ＣＤ−Ｒにデータを書き込む前の段階でメモリーカードからデータが読み取られるときに、記録手段が記録を行っているときにはデータの読み取りを禁止することとしても良い。また、データ記憶手段としては、ＣＤ−Ｒやメモリーカードに限定されず、その他のＤＶＤ等のメディアに対してのデータの書き込みやデータの読み込みについても適用されても良い。
【００３７】
また、本実施形態では、記録手段により画像の記録が行われているか否かを判断する記録判定手段の判断としては、ホスト装置２００からの記録命令の受信と記録装置１００での画像記録終了から判断されているが、本発明はこれに限定されない。記録装置１００におけるインクジェット記録部１０００の回復部Ｍ５０００には、記録ヘッドＨ１００１におけるインク吐出口の形成面をキャップするキャップが配置されている。このキャップは、記録の行われない記録装置の休止状態にあるときには、記録ヘッドＨ１００１を保護し、また、記録ヘッドにおける吐出口内部のインクの増粘を防ぐために、記録ヘッドＨ１００１のホームポジションで吐出口を覆うように構成されている。従って、記録ヘッドＨ１００１の吐出口がキャップによって覆われているときには記録ヘッドＨ１００１による記録媒体への記録が行われていないときと判断することができる。また、記録ヘッドＨ１００１の吐出口がキャップによって覆われていないときには、記録ヘッドＨ１００１は、ホームポジションには位置しておらず、記録が行われていると判断できる。従って、キャップの状態を検出することで、記録手段により画像の記録が行われているか否かを判断することができる。
【００３８】
このように、記録装置１００は、記録を行っていないときには記録ヘッドＨ１００１を覆い、記録を行っているときには記録ヘッドＨ１００１から離間するキャップを有している。そして、キャップの開閉状態を検知し、キャップが記録ヘッドを覆った状態であるときには記録を行っていないと判断し、キャップが記録ヘッドから離間しているときには記録を行っていると判断する。このとき、ＣＰＵ５００、ＲＯＭ１０１、ＲＡＭ１０２等がキャップの開閉状態を検出する記録判定手段として機能する。このように、キャップの開閉状態のみを検出することで、記録装置１００が記録を行っているか否かを検出することができるので、制御構成を簡易にすることができる。これに対して、上述したように記録命令受信と画像記録終了を検知することで判断しているときには、ホストからの記録命令受信と画像記録終了とが別個の処理部で処理する可能性がある。このように、ホストからの記録命令受信と画像記録終了とが別個の処理部で処理される場合には、別々の場所からそれぞれ別の信号を送信してもらう必要が生じるので、制御が複雑になる可能性がある。
【００３９】
なお、上記第一実施形態においては、記録装置は、記録ヘッドからインクを吐出して記録媒体に記録を行うインクジェット記録装置を用いて説明したが、本発明はこれに限定されない。記録の際に振動が生じ得る形式であれば、熱転写方式等、他の形式の記録装置に適用されても良い。
【００４０】
（第二実施形態）
次に、本発明の第二実施形態について説明する。上述の第一実施形態と同様の構成の部分については説明を省略し、異なる部分のみ説明することとする。第二実施形態は、記録装置の画像記録時の工程のうち、振動の大きい動作が予め予想される工程のときのみ、デジタルデータアクセス部によるデジタルデータ読み書きを禁止する制御である点で第一実施形態と異なる。
【００４１】
ここでは、振動の大きい動作として記録媒体の給紙工程と、記録ヘッドが搭載されたキャリッジの加減速の工程とを例に挙げて説明する。記録媒体の給紙時には、自動給送部Ｍ３０２２上に積載された記録媒体が、自動給送部Ｍ３０２２によって１枚ずつ分離され、記録ヘッドＨ１００１と対向する位置にある所定の記録位置へ記録媒体が導かれる。この記録媒体同士の分離動作の際には、大きなメカ部品が動作するため記録装置１００内で比較的大きな振動が発生してしまう。また、キャリッジＭ４００１と共に記録ヘッドＨ１００１が往復運動を繰り返して走査を行う際には、キャリッジＭ４００１には記録ヘッドＨ１００１とインクタンクＨ１９００とが搭載されているため、これらを合わせた質量は比較的大きい。従って、キャリッジＭ４００１が走査を行う際にキャリッジＭ４００１が加速及び減速するときには、比較的大きな振動が発生してしまう。
【００４２】
本実施形態のデータアクセス部によるデータ記憶手段への書き込み処理を示すフローについては、第一実施形態の図５に示されるフローと同様である。図８は、第二実施形態での記録装置において、データの書き込みが行われながら画像の記録媒体への記録が行われる際のフローを説明するためのフローチャートである。第二実施形態においても第一実施形態と同様に、メモリーカード内のデータを読み取りＣＤ−Ｒにそのデータの書き込みを行いながら、インクジェット記録部１０００によって記録媒体への記録が行われる例について説明する。
【００４３】
ここで、フローとして、画像の記録を開始する（Ｄ０１）。記録装置１００がホスト装置２００からの記録命令を受信Ｄ０２すると、記録装置１００は画像記録を行うための準備動作として、キャップオープンＤ０３、メカイニシャライズＤ０４を行う。ここまでは、データの書き込みを停止するための停止信号が‘‘ＯＦＦ’’の状態とされたままなので、データの書き込みが可能である。ここで、Ｄ０３、Ｄ０４での準備動作が行われると、給紙処理Ｄ０６が行われるときに備えてデータアクセス部１１００によるＣＤ−Ｒへのデジタルデータの書き込みを停止するための停止信号が‘‘ＯＮ’’の状態にされる（Ｄ０５）。これにより、ＣＤ−Ｒへのデータの書き込みが停止された状態になる。
【００４４】
次に、給紙処理Ｄ０６が行われる。このとき、給紙処理Ｄ０６は、比較的振動が大きいことが予めわかっているので、既に書き込みを一時停止するために書き込みの停止信号が‘‘ＯＮ’’の状態とされている。そして、給紙処理Ｄ０６が終わったときに、書き込みを一時停止するために書き込みの停止信号を‘‘ＯＦＦ’’の状態にされ（Ｄ０７）、ＣＤ−Ｒへのデータの書き込みが可能な状態とされる。
【００４５】
そして、ここで次の走査での記録についての記録データが作成（Ｄ０８）される。ここでは、次の工程でキャリッジＭ４００１の加速が行われることがわかっているので、データアクセス部１１００によるデジタルデータ書き込みの停止信号を‘‘ＯＮ’’の状態にする（Ｄ０９）。そして、キャリッジＭ４００１の走査が行われると共に、キャリッジＭ４００１が加速（Ｄ１０）を始める。このとき、キャリッジＭ４００１の加速により記録装置１００に比較的大きな振動が生じるが、データ書き込みの停止信号が‘‘ＯＮ’’の状態にされているので、このときにはデータの書き込みは行われない。そして、キャリッジＭ４００１の加速状態が終り、定速状態になると、書き込みを停止するための停止信号を‘‘ＯＦＦ’’の状態にする（Ｄ１１）。このとき、ＣＤ−Ｒへの書き込みは可能である。そして、キャリッジＭ４００１を一定速度で移動させながら１走査分の画像を記録する（Ｄ１１）。そして、１走査分の記録を終了すると、次にキャリッジＭ４００１の減速が行われることから、データアクセス部１１００によるデータ書き込みの停止を行うための停止信号を再び‘‘ＯＮ’’の状態にする（Ｄ１３）。そして、キャリッジＭ４００１の減速が行われる（Ｄ１４）。このとき、キャリッジＭ４００１の減速による振動は比較的大きいが、このときにはデータの書き込みを停止させる停止信号が‘‘ＯＮ’’の状態にされているので、ＣＤ−Ｒへのデータの書き込みは行われない。そして、キャリッジＭ４００１が停止すると、書き込みを停止させる停止信号を‘‘ＯＦＦ’’の状態にして（Ｄ１５）、１回の走査に行われる記録幅の分だけ記録媒体の搬送が行われる（Ｄ１６）。
【００４６】
これを、記録媒体の全ての領域に対応した記録データの分の記録が終了するまで繰り返し（Ｄ１７）、全ての記録データの記録が終わると、画像の記録を終了する（Ｄ１８）。
【００４７】
図９に、本実施形態でのデータアクセス部１１００による書き込み動作と、インクジェット記録部１０００による記録動作とのタイミングを表すタイミングチャートを示す。図９では、データアクセス部１１００による書き込み期間を示すタイミングチャートにおいて、上に凸の部分をデジタルデータ書き込み期間として示し、それ以外の部分を書き込み停止期間として示している。また、記録装置による画像の記録を示すタイミングチャートにおいては、上に凸の部分を記録装置による記録期間として示している。
【００４８】
記録装置による記録について、図９のタイミングチャートを参照してさらに説明する。記録装置は記録命令を受信するまでは待機状態にある。画像記録の命令を受信（Ｄ０２）すると、記録媒体への記録のための準備動作（キャップオープン、メカイニシャライズ、ヘッド回復処理など）が行われる。このときの記録媒体への記録のための準備動作は、区間Ｅ０１に対応している。このとき、データアクセス部１１００は、デジタルデータの書き込みを続行している。次に区間Ｅ０２において、記録装置１００によって記録媒体の給紙（Ｄ０６）が実行される。記録媒体の給紙動作は振動を伴うことが予想されるため、このときデータアクセス部１１００のデータ書き込みは停止させる。次に、区間Ｅ０３において次の走査で記録するための画像データを準備し（Ｄ０８）、区間Ｅ０４でキャリッジＭ４００１の加速（Ｄ１０）が行われる。区間Ｅ０４では走査に際してキャリッジＭ４００１が加速を行っている状態なので、比較的大きな振動が発生することが予想されることから、この間のＣＤ−Ｒへのデータの書き込みが禁止されている。
【００４９】
次に、区間Ｅ０５のキャリッジＭ４００１による走査の等速区間で記録媒体への記録が行われる（Ｄ１２）。このときには、振動は比較的少ないと予想されることから、ＣＤ−Ｒへのデータの書き込みは禁止されず、データ書き込みが行われても良い。次に、区間Ｅ０６では、キャリッジＭ４００１の減速が行われる（Ｄ１４）。このときには、キャリッジＭ４００１が減速を行っている状態なので、比較的大きな振動が発生することが予想されることから、この間のＣＤ−Ｒへのデータの書き込みが禁止されている。次に、区間Ｅ０７で、記録メディアの搬送（Ｄ１６）が行われる。ここでは、振動は比較的少ないと予想されることから、ＣＤ−Ｒへのデータの書き込みは禁止されず、データ書き込みが行われても良い。これを記録媒体に対する全てのデータの記録が終了するまで繰り返す。最後に記録媒体の搬送と排紙が行われる（Ｅ０８）が、この動作は振動が少ないためデジタルデータアクセス部のデータ書き込みが実施されても良い。
【００５０】
このように、記録媒体の給紙区間（Ｅ０２）、キャリッジＭ４００１の加減速区間（Ｅ０４、Ｅ０６）では比較的大きな振動が記録装置に生じることが予想されるので、これらの区間では、データアクセス部１１００によるデータ書き込みは停止される。
【００５１】
本実施形態では、記録装置１００においては、ＣＰＵ５００、ＲＯＭ１０１、ＲＡＭ１０２が、自動給送部Ｍ３０２２によって給紙が行われている状態であるか否かを検出する記録媒体供給検出手段として機能する。また、ＣＰＵ５００、ＲＯＭ１０１、ＲＡＭ１０２は、記録ヘッドＨ１００１が主走査方向に加速している状態か否かを検出する加速検出手段、及び記録ヘッドが主走査方向に減速している状態か否かを検出する減速検出手段としても機能する。これらによって、記録媒体の給紙を行っている状態であると検出されたとき、記録ヘッドが主走査方向に加速を行っている状態であると検出されたとき、記録ヘッドが主走査方向に減速を行っている状態であると検出されたときが検出される。そして、これらの状態のうち、いずれかの状態であると判断されたときには、データ記憶手段へのデータの書き込みあるいはデータ記憶手段に記憶されているデータの読み込みが禁止される。このとき、ＣＰＵ５００、ＲＯＭ１０１、ＲＡＭ１０２が、データ記憶手段へのデータの書き込みあるいはデータ記憶手段に記憶されているデータの読み込みを禁止するデータアクセス禁止手段（第二のデータアクセス禁止手段）として機能する。
【００５２】
このように、記録装置１００による記録時に、比較的大きな振動が生じることが予想される動作の際のみ、データアクセス部１１００によるデータ書き込みを行わない構成としている。これにより、データ書き込みが禁止される期間をなるべく短くし、データ書き込み速度を向上させることが可能となる。
【００５３】
ここでは、給紙動作中とキャリッジ加減速時のみデジタルデータアクセス部によるデータ書き込みを禁止したが、画像記録動作中に比較的振動が大きいと想定される期間があれば、その動作時にもデータ書き込みを禁止することとしても良い。
【００５４】
また、比較的大きな振動が発生することが想定される動作例として、給紙、キャリッジの加速、減速を挙げたが、振動が比較的少ない形式の記録装置においては、これらのうちの一部のみをデータ書き込み禁止対象の工程としてもよい。また、振動の減衰を待つために禁止の対象となる動作終了後、一定時間余分にデータの読み書きの禁止を続行し、データ読み書きの再開を遅らせても良い。また、本実施形態ではデジタルデータの書き込みを制限する例を挙げたが、読み込みについて制限する制御でも適用可能である。さらに、データ読み込みへ与える振動の影響と、データ書き込みへ与える振動の影響が異なる場合には、読み込みと書き込みとの間でデータアクセス部１１００の動作を禁止する期間を異ならせても良い。
【００５５】
（第三実施形態）
次に、本発明を実施するための第三実施形態について説明する。上述の第一実施形態及び第二実施形態と同様の構成の部分については説明を省略し、異なる部分のみ説明することとする。第三実施形態は、記録装置に設けられたスキャナー部の圧板を開けている状態の場合に、データアクセス部によるデジタルデータ書き込みを停止するように制御する点で上述した第一実施形態及び第二実施形態と異なる。
【００５６】
図１０には、第三実施形態に係る記録装置の模式的な斜視図が示されている。本実施形態の記録装置にはスキャナーが取り付けられており、スキャナー付記録装置２０００として構成されている。スキャナー付記録装置２０００は、従来の記録装置にスキャナー部Ｆ０１が搭載されたものである。また、スキャナー付記録装置２０００は、インクジェット記録部１０００のみでも記録媒体に記録することが可能とされている。また、画像の記録された記録媒体をガラス板Ｆ０３上に設置した状態でスキャナー部Ｆ０１によって記録媒体に記録されている画像を読み取ることが可能である。また、この画像をインクジェット記録部１０００により記録媒体に記録することによって、コピーを行うことが可能である。
【００５７】
コピーが行われる際には、コピー原稿をスキャナー読み取り部に設けられたガラス板Ｆ０３上に置き、コピー原稿をスキャナー圧板Ｆ０２で押さえて読み取りを実施する。このように、本実施形態のスキャナー付記録装置２０００は、記録媒体に記録された画像を読み取ることが可能なスキャナー部Ｆ０１を有している。また、本実施形態のスキャナー付記録装置２０００は、スキャナー部Ｆ０１で画像を読み取るときに、記録媒体をスキャナー部Ｆ０１のガラス板Ｆ０３との間で挟み込むために記録媒体をガラス板Ｆ０３に押圧可能な圧板Ｆ０２を有している。
【００５８】
この圧板Ｆ０２は、記録媒体に記録された画像の読み取りを行う際に記録媒体を押圧して、記録媒体を圧板Ｆ０２とスキャナー部Ｆ０１のガラス板Ｆ０３との間で動かないように固定している。これにより、記録媒体に記録されている画像を読み取るときに記録媒体が動くことを抑えることができ、記録媒体がずれてしまうことを抑えることができる。しかしながら、スキャナー圧板Ｆ０２は、一般にＡ４以上の大きさを有しており、比較的大きく、それに伴いある程度の質量を有している部材である。そのため、圧板Ｆ０２を閉じる際には、圧板Ｆ０２がスキャナー部Ｆ０１と接触したときに、圧板Ｆ０２とスキャナー部Ｆ０１のガラス板Ｆ０３との間で比較的大きな振動を発生させる原因となることがある。そのため、このように圧板Ｆ０２が開いている状態のときには、この後に生じ得る圧板Ｆ０２の閉じ操作によって比較的大きな振動がいつ生じてもおかしくない状態である。従って、本実施形態では、比較的大きな振動が生じたとしても、これによってデータの読み取りあるいは書き込みが影響を受けることを抑えるために、圧板Ｆ０２が開いている状態のときにはデータの読み取りあるいはデータの書き込みを禁止することとする。
【００５９】
第三実施形態におけるデータアクセス部１１００の書き込み処理のフローは、図５に示す第一実施形態のフローと同様である。図１１は、第三実施形態での記録装置において、スキャナーの圧板の状態を検出しながらデータの書き込みが行われる際のフローを説明するためのフローチャートである。第三実施形態においては、メモリーカード内のデータを読み取りＣＤ−Ｒにそのデータの書き込みが行われる例について説明する。
【００６０】
スキャナー圧板状態検出シーケンスを開始すると（Ｇ０１）、圧板Ｆ０２が開いているかどうかを検知する（Ｇ０２）。圧板Ｆ０２が開いている状態の場合には、データアクセス部１１００によるデータ書き込みを停止するための停止信号を‘‘ＯＮ’’の状態にする（Ｇ０４）。また、圧板Ｆ０２が閉じている状態の場合には、データアクセス部１１００によるデータ書き込みを停止するための停止信号を‘‘ＯＦＦ’’の状態に設定する。そして、スキャナー圧板状態検出シーケンスを終了する（Ｇ０５）。
【００６１】
図１２に、第三実施形態によるデータの書き込み処理において、デジタルデータアクセス部による書き込み動作の期間と、スキャナー圧板の開閉状態の期間とが並べられて示されたタイミングチャートが示されている。データアクセス部書き込みがおこなわれているとき（Ｈ０１）にスキャナー圧板Ｆ０２が開けられると、圧板Ｆ０２が開けられたことが検出される。このときの検出はセンサ等によって行われても良く、ここで得られた信号がＣＰＵ５００に送信されることとしても良い。圧板Ｆ０２が開けられた状態であることが検出されると、この後に生じ得る圧板Ｆ０２の閉じ操作によって比較的大きな振動が起こり得ることから、データアクセス部１１００による書き込みが停止（Ｈ０２）される。そして、スキャナー圧板Ｆ０２が閉じられると、その後に再びデータアクセス部１１００による書き込みを開始（Ｈ０３）する。このように、スキャナー厚板Ｆ０２を閉じる際の振動がデータの書き込みが行われているときに発生することを避けるために、スキャナー圧板Ｆ０２を開けているときには、データアクセス部１１００によるデータ書き込みを行わない構成とする。これにより、圧板Ｆ０２の閉じ操作の際に生じる振動が、データの書き込みに影響を与えることを抑えることができる。
【００６２】
なお、本実施形態では、スキャナー圧板Ｆ０２を閉じる際の振動を避けるためにスキャナー圧板Ｆ０２が開いているか否かを検知する手段を設けたが、本発明はこれに限定されない。単に圧板Ｆ０２が開いている状態であるか否かを検出するのではなく、圧板Ｆ０２が閉じられている動作中であるかどうかを判定するための判定手段が記録装置に設けられても良い。そして、スキャナー圧板Ｆ０２を閉じている動作中のときのみデータアクセス手段１１００によるデータの書き込みを禁止することとしてもよい。これにより、データの書き込みの禁止されている時間が短くなるので、データ書き込みにおける効率を向上させることができる。また、本実施形態では、スキャナー圧板Ｆ０２を閉じるとすぐにデジタルデータの書き込みを行うこととしているが、振動の減衰を待つために一定時間後にデジタルデータの書き込みを再開することとしても良い。
【００６３】
このように、本実施形態のスキャナー付記録装置２０００は、圧板Ｆ０２がスキャナー部のガラス板Ｆ０３に近接した閉状態にあるか、スキャナー部のガラス板Ｆ０３から離間した開状態にあるかを検出する圧板開閉状態検出手段を有している。そして、本実施形態のスキャナー付記録装置２０００は、圧板Ｆ０２が開状態にあると判断されたときには、データ記憶手段へのデータの書き込みあるいはデータ記憶手段に記憶されているデータの読み込みを禁止するデータアクセス禁止手段を有している。このとき、ＣＰＵ５００、ＲＯＭ１０１、ＲＡＭ１０２等が、圧板Ｆ０２の開状態を検出したときに、データ記憶手段へのデータの書き込みを禁止するデータアクセス禁止手段（第三のデータアクセス禁止手段）として機能する。
【００６４】
また、スキャナー圧板以外で記録装置に振動を与える原因となる部分について、そこでの状態を検知し、振動が生じ得る状態にあることが検知されたときには、デジタルデータアクセス部によるデータ読み書きを禁止することとしても良い。例えば、インクタンクや記録ヘッド交換のために、記録ヘッド内のインク流路に通じる記録装置側のインク流路における開口部の開閉状態が検知され、ここでの開閉状態に応じてデジタルデータアクセス部によるデータ読み書きを禁止することとしても良い。
【００６５】
図３に、記録ヘッドＨ１００１に供給するインクを貯留したインクタンクＨ１９００と、記録ヘッドＨ１００１との間の結合部について示されている。このインクタンクＨ１９００は、記録ヘッドに対して取外し可能に構成されている。それぞれのインクタンクＨ１９００からそれぞれの記録ヘッドＨ１００１にインクを供給するインク流路における記録ヘッド側には、開口部１２０が形成されている。この開口部１２０は、インクタンクＨ１９００が取外されている状態のときには露出されており、インクタンクＨ１９００が記録ヘッドＨ１００１にインクを供給可能に接続されている状態のときには露出されていない状態となる。もし、この開口部１２０が露出されていない状態であれば、インクタンクＨ１９００は記録ヘッドＨ１００１とインク流路を通して連通している状態であることを示しており、インクタンクＨ１９００はキャリッジＭ４００１に搭載された状態であることを示している。一方、この開口部１２０が露出された状態にあるときは、キャリッジＭ４００１には、インクタンクＨ１９００が搭載されていない状態であることを示している。
【００６６】
キャリッジＭ４００１にインクタンクＨ１９００が搭載されていない状態のときには、この後にキャリッジＭ４００１へのインクタンクＨ１９００の搭載動作が生じ得る。このときには、インクタンクＨ１９００の搭載動作によって、記録装置に比較的大きな振動が生じ得る。そのため、キャリッジＭ４００１にインクタンクＨ１９００が搭載されていない状態を検出したときには、この後に生じ得る比較的大きな振動によってデータの書き込みが影響を受けることを抑えるために、データアクセス部１１００による書き込みが停止される。そして、キャリッジＭ４００１にインクタンクＨ１９００が搭載されている状態を検出したときに、データアクセス部１１００による書き込みを行う。
【００６７】
このように、記録装置は、開口部１２０が露出された状態にあるか否かによって、記録ヘッドＨ１００１とインクタンクＨ１９００との間が接続されているか否かを検出する接続状態検出手段を有している。そして、記録ヘッドＨ１００１とインクタンクＨ１９００との間が接続されていない状態であると判断されたときには、データ記憶手段へのデータの書き込みを禁止するデータアクセス禁止手段を有している。このとき、ＣＰＵ５００、ＲＯＭ１０１、ＲＡＭ１０２等が、記録ヘッドとインクタンクとの間が接続されていない状態であると判断されたときに、データの書き込みを禁止するデータアクセス禁止手段（第四のデータアクセス禁止手段）として機能する。
【００６８】
なお、このときの記録ヘッドＨ１００１とインクタンクＨ１９００との間が接続されているか否かを検出する接続状態検出手段としてのセンサは、開口部１２０に直接取り付けられていなくても良い。キャリッジＨ１９００におけるインクタンクＨ１９００の搭載を確認できる位置であれば、どこに取り付けられても良い。
【００６９】
なお、上述した実施形態では、データを記憶可能なデータ記憶手段としてＣＤ−Ｒを例にあげたが、ＤＶＤ（ＤＶＤ−Ｒ、ＤＶＤ−ＲＷディスク等を含む）、ＨＤＤ、ＨＤ（ハードディスク）やＢＤ（Ｂｌｕ−ｒａｙ Ｄｉｓｃ）などでも良い。また、読み取り、あるいは読み書きが可能なメディアであれば、その他のメディアが採用されても良い。
【００７０】
また、上述した実施形態では、振動が起こると予想されたときにＣＤ−Ｒへのデータの書き込み処理を禁止することについて説明したが、本発明はこれに限定されない。メモリーカードからのデータの読み取り処理であっても良いし、その他の種類のメディアからのデータの読み取り処理を禁止することとしても良い。また、その他のメディアへのデータの書き込み処理を禁止することとしても良い。
【００７１】
なお、本明細書において、「記録」とは、文字、図形等有意の情報を形成する場合のみならず、有意無意を問わずに用いられる。また、人間が視覚で知覚し得るように顕在化したものであるか否かを問わず、広く記録媒体上に画像、模様、パターン等を形成する、または記録媒体の加工を行う場合も表すものとする。
【００７２】
また、「記録装置」とは、プリンタ、プリンタ複合機、複写機、ファクシミリ装置などのプリント機能を有する装置、ならびにインクジェット技術を用いて物品の製造を行なう製造装置を含む。
【００７３】
また、「記録媒体」とは、一般的な記録装置で用いられる紙のみならず、広く、布、プラスチック・フィルム、金属板、ガラス、セラミックス、木材、皮革等、インクを受容可能なものを表すものとする。
【００７４】
さらに、「インク」（「液体」と言う場合もある）とは、上記「記録」の定義と同様広く解釈されるべきものである。記録媒体上に付与されることによって、画像、模様、パターン等の形成または記録媒体の加工、或いはインクの処理（例えば記録媒体に付与されるインク中の色剤の凝固または不溶化）に供され得る液体を表すものとする。
【符号の説明】
【００７５】
１１０  記録装置
１０００  インクジェット記録部
１１０１  ＣＤ−Ｒ
１１００  データアクセス部
２０００  スキャナー付記録装置
【図１】
2011181148.tif 000003
【図２】
2011181148.tif 000004
【図３】
2011181148.tif 000005
【図４】
2011181148.tif 000006
【図５】
2011181148.tif 000007
【図６】
2011181148.tif 000008
【図７】
2011181148.tif 000009
【図８】
2011181148.tif 000010
【図９】
2011181148.tif 000011
【図１０】
2011181148.tif 000012
【図１１】
2011181148.tif 000013
【図１２】
2011181148.tif 000014